(57)【要約】【課題】粘弾性材料を含む回転体の耐久性の評価精度を向上させること。【解決手段】粘弾性材料を含む回転体の回転体モデルに対して応力解析を実行する（ステップＳ１０１）。次に、前記応力解析によって求めた前記回転体モデルの応力及びひずみから、前記回転体モデル全体の発熱エネルギを求める（ステップＳ１０２）。そして、求めた発熱エネルギを回転体モデルが所定時間回転した場合の温度上昇に換算し（ステップＳ１０３）、昇温した回転体モデルを前記所定時間放熱させて、放熱後における回転体モデルの温度分布を求める（ステップＳ１０４）。放熱後における回転体モデルの温度分布に基づいて求めた回転体の破断強度又は破断ひずみを用いて回転体モデルの安全率分布を演算し（ステップＳ１０５）、回転体の耐久性を予測する（ステップＳ１０６）。【選択図】        図１
2005138621.tif 000002
【特許請求の範囲】
【請求項１】
回転体を複数の微小要素に分割することにより回転体モデルを作成するモデル作成手順と、
前記回転体モデルの応力解析を実行することにより、前記回転体モデルの応力及びひずみを求める応力解析手順と、
前記応力解析によって求めた前記回転体モデルの応力及びひずみから、前記回転体モデル全体の発熱エネルギを求める発熱エネルギ演算手順と、
前記発熱エネルギを、前記回転体モデルが所定時間回転した場合の温度上昇に換算する温度換算手順と、
昇温した前記回転体モデルを、前記温度換算手順において前記回転体モデルを回転させた時間と同等の時間放熱させ、放熱後における前記回転体モデルの温度分布を求める温度分布演算手順と、
放熱後における前記回転体モデルの温度分布に基づいて求めた、前記回転体を構成する材料の破断強度又は破断ひずみのうち少なくとも一方により、前記回転体モデルの安全率分布を求める安全率演算手順と、
を含むことを特徴とする回転体の耐久性予測方法。
【請求項２】
前記温度換算手順においては前記回転体モデルからの放熱はないものとして取り扱い、前記温度分布演算手順においては前記回転体モデルの発熱はないものとして取り扱うことを特徴とする請求項１に記載の回転体の耐久性予測方法。
【請求項３】
前記応力解析手順においては、静的応力解析を用いることを特徴とする請求項１又は２に記載の回転体の耐久性予測方法。
【請求項４】
前記発熱エネルギ演算手順においては、単位回転数あたりの前記回転体モデル全体の発熱エネルギを求めるとともに、
前記温度換算手順においては、前記回転体モデルの単位回転数あたりの発熱エネルギと、前記所定時間における回転体モデルの回転数との積に基づいて、発熱エネルギを回転体モデルの上昇温度に変換することを特徴とする請求項１〜３のいずれか１項に記載の回転体の耐久性予測方法。
【請求項５】
前記温度分布演算手順においては、前記回転体モデルの放熱面毎に熱伝導率、輻射率その他の伝熱に関する係数を設定することを特徴とする請求項１〜４のいずれか１項に記載の回転体の耐久性予測方法。
【請求項６】
請求項１〜５のいずれか１項に記載の回転体の耐久性予測方法をコンピュータに実行させることを特徴とする耐久性予測用コンピュータプログラム。
【請求項７】
複数の微小要素に分割した回転体モデルの応力解析を実行する応力解析部と、
前記応力解析部から取得した前記回転体モデルの応力及びひずみに基づいて、前記回転体モデル全体の発熱エネルギを求める発熱エネルギ演算部と、
前記発熱エネルギ演算部から取得した前記回転体モデルの発熱エネルギを、前記回転体モデルが所定時間回転した場合の温度上昇に換算する温度換算部と、
昇温した前記回転体モデルを前記所定時間放熱させ、放熱後における前記回転体モデルの温度分布を求める温度分布演算部と、
放熱後における前記回転体モデルの温度分布に基づいて求めた、前記回転体を構成する材料の破断強度又は破断伸びの少なくとも一方により、前記回転体モデルの安全率分布を求める安全率演算部と、
を備えることを特徴とする回転体の耐久性予測装置。
【発明の詳細な説明】
【技術分野】
【０００１】
本発明は、構成材料に粘弾性材料を含む回転体の耐久性を評価する技術に関し、さらに詳しくは、このような回転体の耐久性の評価精度を向上させることのできる回転体の耐久性予測方法及び回転体の耐久性予測用コンピュータプログラム、並びに回転体の耐久性予測装置に関する。
【背景技術】
【０００２】
近年におけるコンピュータ技術の発達により、実際にタイヤを試作せずに、コンピュータ上の数値シミュレーションでタイヤの性能や耐久性を予測する技術が用いられるようになってきている。このような数値シミュレーションを用いたタイヤの耐久性予測では、これまで静的応力解析によって得られる最大主ひずみや最大主応力等の大小でタイヤの耐久性を評価していた。
【０００３】
しかし、このような手法では、タイヤの最大主ひずみ等が大きな値を示していても、当該部分の破断伸びや破断強度といった材料物性が前記最大主ひずみ等に対して十分に余裕があれば、前記部分が故障のイニシャルとはなりにくい。逆に、最大主ひずみ等の絶対値が他の部分と比較して小さい部分であっても、当該部分における材料物性の値が小さい場合には、前記部分が故障のイニシャルになるおそれが高い。かかる問題を解決するため、特許文献１には、材料物性のポテンシャルを考慮したタイヤ設計システムが開示されている。
【０００４】
【特許文献１】特開２００２−１９２９２４号公報
【発明の開示】
【発明が解決しようとする課題】
【０００５】
しかしながら、タイヤを構成する材料、特にゴム材料が粘弾性材料であるために変形によって発熱し、それによって材料物性が変化することまでは考慮されていない。このため、特許文献１に開示された技術では、タイヤ耐久性の評価精度が不十分であった。
【０００６】
そこで、この発明は、上記に鑑みてなされたものであって、粘弾性材料の変形による発熱を考慮して実際の使用条件に近い状況で回転体の耐久性を評価することにより、耐久性予測精度を向上させることのできる回転体の耐久性予測方法及び回転体の耐久性予測用コンピュータプログラム、並びに回転体の耐久性予測装置を提供することを目的とする。
【課題を解決するための手段】
【０００７】
上述の目的を達成するために、本発明に係る回転体の耐久性予測方法は、回転体を複数の微小要素に分割することにより回転体モデルを作成するモデル作成手順と、前記回転体モデルの応力解析を実行することにより、前記回転体モデルの応力及びひずみを求める応力解析手順と、前記応力解析によって求めた前記回転体モデルの応力及びひずみから、前記回転体モデル全体の発熱エネルギを求める発熱エネルギ演算手順と、前記発熱エネルギを、前記回転体モデルが所定時間回転した場合の温度上昇に換算する温度換算手順と、昇温した前記回転体モデルを、前記温度換算手順において前記回転体モデルを回転させた時間と同じ時間放熱させ、放熱後における前記回転体モデルの温度分布に基づいて求めた、前記回転体を構成する材料の破断強度又は破断ひずみのうち少なくとも一方により、前記回転体モデルの安全率分布を求める安全率演算手順と、を含むことを特徴とする。
【０００８】
この回転体の耐久性予測方法は、粘弾性材料を含む回転体の耐久性を評価するにあたり、粘弾性材料の変形に起因する前記回転体の発熱と、当該発熱により昇温した前記回転体の放熱による温度変化とを別個に予測する。その際、回転体の昇温の解析と、回転体の放熱による温度変化の解析とで、解析時間を揃えることにより、前記回転体の発熱と放熱とを擬似的に連成させる。そして、放熱後における前記回転体モデルの温度分布に基づいて求めた破断強度から回転体の安全率を求める。このように、回転体の安全率に影響を与えるパラメータとして粘弾性材料の変形に起因する発熱を採用することにより、粘弾性材料の変形による発熱を考慮して実際の使用条件に近い状況で回転体の耐久性を評価できる。その結果、粘弾性材料を含む回転体の耐久性予測精度を向上させることができる。また、本発明に係る回転体の耐久性予測用コンピュータプログラムによれば、前述の回転体の耐久性予測方法がコンピュータを利用して実現できる。
【０００９】
また、次の本発明に係る回転体の耐久性予測方法は、前記回転体の耐久性予測方法において、前記温度換算手順においては前記回転体モデルからの放熱はないものとして取り扱い、前記温度分布演算手順においては前記回転体モデルの発熱はないものとして取り扱うことを特徴とする。
【００１０】
このように、粘弾性材料の発熱に起因する回転体の昇温を予測する際には回転体からの放熱を考慮せず、また、回転体からの放熱による回転体の温度変化を予測する際には回転体の発熱を考慮しないことにより、それぞれの予測における計算を簡略化できる。これにより、計算の収束性を向上させることができ、計算時間を短縮できる。また、実用上十分な計算精度も確保できる。また、本発明に係る回転体の耐久性予測用コンピュータプログラムによれば、前述の回転体の耐久性予測方法がコンピュータを利用して実現できる。
【００１１】
また、次の本発明に係る回転体の耐久性予測方法は、前記回転体の耐久性予測方法において、前記応力解析手順においては、静的応力解析を用いることを特徴とする。
【００１２】
このように、静的応力解析によれば、計算の収束性が向上するので計算に要する時間を短縮することができる。また、本発明に係る回転体の耐久性予測用コンピュータプログラムによれば、前述の回転体の耐久性予測方法がコンピュータを利用して実現できる。
【００１３】
また、次の本発明に係る回転体の耐久性予測方法は、前記回転体の耐久性予測方法において、前記発熱エネルギ演算手順においては、単位回転数あたりの前記回転体モデル全体の発熱エネルギを求めるとともに、前記温度換算手順においては、前記回転体モデルの単位回転数あたりの発熱エネルギと、前記所定時間における回転体モデルの回転数との積に基づいて、発熱エネルギを回転体モデルの上昇温度に変換することを特徴とする。
【００１４】
本発明では、単位回転数あたりにおける回転体モデルの発熱エネルギを求めるので、これと回転体モデルの回転数との積によれば、回転体モデルの総発熱量を簡易に求めることができる。また、本発明に係る回転体の耐久性予測用コンピュータプログラムによれば、前述の回転体の耐久性予測方法がコンピュータを利用して実現できる。
【００１５】
また、次の本発明に係る回転体の耐久性予測方法は、前記回転体の耐久性予測方法において、前記温度分布演算手順においては、前記回転体モデルの放熱面毎に熱伝導率、輻射率その他の伝熱に関する係数を設定することを特徴とする。
【００１６】
このように、温度分布演算手順において、設定した前記各伝熱面に対してそれぞれ任意の熱伝達係数や輻射率等を設定すると、温度分布演算におけるタイヤモデルの温度の予測精度が向上する。また、本発明に係る回転体の耐久性予測用コンピュータプログラムによれば、前述の回転体の耐久性予測方法がコンピュータを利用して実現できる。
【００１７】
また、次の本発明に係る回転体の耐久性予測装置は、複数の微小要素に分割した回転体モデルの応力解析を実行する応力解析部と、前記応力解析部から取得した前記回転体モデルの応力及びひずみに基づいて、前記回転体モデル全体の発熱エネルギを求める発熱エネルギ演算部と、前記発熱エネルギ演算部から取得した前記回転体モデルの発熱エネルギを、前記回転体モデルが所定時間回転した場合の温度上昇に換算する温度換算部と、昇温した前記回転体モデルを前記所定時間放熱させ、放熱後における前記回転体モデルの温度分布を求める温度分布演算部と、放熱後における前記回転体モデルの温度分布に基づいて求めた、前記回転体を構成する材料の破断強度又は破断伸びの少なくとも一方により、前記回転体モデルの安全率分布を求める安全率演算部と、を備えることを特徴とする。
【００１８】
この回転体の耐久性予測装置は、粘弾性材料を含む回転体の耐久性を評価するにあたり、粘弾性材料の変形に起因する前記回転体の発熱と、当該発熱により昇温した前記回転体の放熱による温度変化とを別個に予測する。その際、回転体の昇温の解析と、回転体の放熱による温度変化の解析とで、解析時間を揃えることで、前記回転体の発熱と放熱とを擬似的に連成させる。そして、放熱後における前記回転体モデルの温度分布に基づいて求めた破断強度から回転体の安全率を求める。このような構成により、粘弾性材料の変形による発熱を考慮して実際の使用条件に近い状況で回転体の耐久性を評価できるので、粘弾性材料を含む回転体の耐久性予測精度を向上させることができる。
【発明の効果】
【００１９】
以上説明したように、本発明に係る回転体の耐久性予測方法では、粘弾性材料の変形による発熱を考慮して実際の使用条件に近い状況で回転体の耐久性を評価できるので、粘弾性材料を含む回転体の耐久性予測精度を向上させることができる。
【００２０】
また、本発明に係る回転体の耐久性予測用コンピュータプログラムによれば、前述の回転体の耐久性予測方法がコンピュータを利用して実現できる。
【００２１】
また、本発明に係る回転体の耐久性予測装置では、粘弾性材料の変形による発熱を考慮して実際の使用条件に近い状況で回転体の耐久性を評価できるので、粘弾性材料を含む回転体の耐久性予測精度を向上させることができる。
【発明を実施するための最良の形態】
【００２２】
以下、この発明につき図面を参照しつつ詳細に説明する。なお、この発明を実施するための最良の形態によりこの発明が限定されるものではない。また、下記発明を実施するための最良の形態における構成要素には、当業者が容易に想定できるもの、あるいは実質的に同一のものが含まれる。以下の説明では、粘弾性材料を含む回転体としてタイヤを例とするが、本発明の適用対象はタイヤに限られるものではない。また、タイヤの種類も空気入りタイヤに限定されるものではなく、本発明の適用できるタイヤの種類は問わない。
【実施例】
【００２３】
本発明に係る回転体の耐久性予測方法及び評価装置は、粘弾性材料を含む回転体の耐久性を評価するにあたって、前記回転体の内部発熱と放熱とを別個に解析するとともに、発熱の解析と放熱の解析との間で、発熱時間と放熱時間とを揃えることで、前記回転体の発熱と放熱とを擬似的に連成させるとともに、放熱後における前記回転体の温度分布に基づいて求めた破断強度から回転体の安全率を求め、この安全率により前記回転体の耐久性を評価する点に特徴がある。
【００２４】
本発明は、粘弾性材料を含む回転体に内部発熱が発生しても前記回転体の変形は大きく変化しないこと、及び粘弾性材料を含む回転体の内部発熱による材料物性等の変化は、タイヤの安全率に影響を与えることに着目したものである。これにより、粘弾性材料を含む回転体の安全率に影響を与えるパラメータとして、原則として粘弾性材料の変形に起因する発熱のみを採用し、例えば路面との摩擦による発熱等は考慮しない。その結果、解析のアルゴリズムを簡略化できるので、計算時間の増加を抑制しつつ粘弾性材料を含む回転体の耐久性予測精度を向上させることができる。なお、路面との摩擦を考慮する場合、本発明においては、タイヤと路面との摩擦係数を固定することにより、解析のアルゴリズムを簡略化する。
【００２５】
また、実際のタイヤにおいては、内部発熱と同時に大気や路面あるいはホイールに対する熱の逃げ、すなわち放熱が存在する。このため、内部発熱と放熱とを同時に解析する、いわゆる完全連成で解析することが好ましい。しかし、完全連成とすると、解析のアルゴリズムが複雑になるため計算の収束性が悪く、場合によっては１ヶ月以上の計算時間を要しても収束しない場合があり、計算コストの高騰を招く。このため、本発明では、タイヤの内部発熱と放熱とを別個に解析するとともに、発熱の解析と放熱の解析との間で、発熱時間と放熱時間とを一致させることにより、解析のアルゴリズムを簡略化する。これにより、計算の収束性を向上させるとともに、実用上十分な解析精度を確保することができる。次に、本発明に係る回転体の耐久性予測方法及び耐久性予測装置の具体的な構成について説明する。
【００２６】
図１は、本発明に係る回転体の耐久性予測方法の処理手順を示すフローチャートである。まず、本発明に係る回転体の耐久性予測装置の構成について説明する。図２は、本発明に係る回転体の耐久性予測装置を示す説明図である。回転体の耐久性予測装置（以下耐久性予測装置という）５０は、処理部５０ｐと記憶部５０ｍとで構成される。処理部５０ｐは、さらに応力解析部５１と、発熱エネルギ演算部５２と、温度換算部５３と、温度分布演算部５４と、安全率演算部５５とを含んで構成される。また、この耐久性予測装置５０には入出力ポート５６が備えられており、この入出力ポート５６を介して入出力装置６０が接続されている。そして、入出力装置６０に備えられた入力手段６１で耐久性予測対象の回転体であるタイヤのゴムや補強コードの物性値、あるいは境界条件等を処理部５０ｐや記憶部５０ｍへ入力する。ここで、入力手段６１には、キーボード、マウス等の入力デバイスを使用することができる。
【００２７】
処理部５０ｐを構成する応力解析部５１と、発熱エネルギ演算部５２と、温度換算部５３と、温度分布演算部５４と、安全率演算部５５とは、入出力ポート５６によって相互に接続されており、相互に評価条件や演算結果その他の情報をやり取りできるように構成される。また、記憶部５０ｍも入出力ポート５６に接続されており、処理部５０ｐの演算結果を一時的に格納したり、本発明の回転体の耐久性予測方法で使用する材料物性データテーブルを格納したりする。記憶部５０ｍに対しては、処理部５０ｐを構成する前記応力解析部５１等が入出力ポート５６を介してアクセスできるようになっている。
【００２８】
記憶部５０ｍには、本発明に係る回転体の耐久性予測方法を実現するコンピュータプログラムが格納されている。ここで、記憶部５０ｍは、ハードディスク装置や光磁気ディスク装置、又はフラッシュメモリ等の不揮発性のメモリ（ＣＤ−ＲＯＭ等のような読み出しのみが可能な記憶媒体）や、ＲＡＭ（Random Access Memory）のような揮発性のメモリ、あるいはこれらの組み合わせにより構成することができる。
【００２９】
また、上記コンピュータプログラムは、コンピュータシステムにすでに記録されているコンピュータプログラムとの組み合わせによって、本発明に係るタイヤの摩耗に関する物理量の予測方法を実現できるものであってもよい。また、図２における処理部５０ｐの機能を実現するための上記コンピュータプログラムをコンピュータ読み取り可能な記録媒体に記録して、この記録媒体に記録されたコンピュータプログラムをコンピュータシステムに読み込ませ、実行することにより本発明に係る予測方法を実行してもよい。なお、ここでいう「コンピュータシステム」とは、ＯＳや周辺機器などのハードウェアを含むものとする。
【００３０】
処理部５０ｐは、メモリ及びＣＰＵにより構成されている。回転体の耐久性を評価する際には、設定されたタイヤモデル及び入力データに基づいて、処理部５０ｐが前記コンピュータプログラムを当該処理部５０ｐに組み込まれたメモリに読み込んで演算する。その際に処理部５０ｐは、適宜記憶部５０ｍへ演算途中の数値を格納し、また格納した数値を取り出して演算を実行する。なお、この処理部５０ｐは、前記コンピュータプログラムの代わりに専用のハードウェアにより実現されるものであってもよい。
【００３１】
耐久性の評価結果は、入出力装置６０の表示手段６３に表示される。ここで、表示手段６３には、ＣＲＴ（Cathode Ray Tube）や液晶表示装置等を使用することができる。また、記憶部５０ｍは、処理部５０ｐに内蔵されるものであっても、他の装置（例えばデータベースサーバ）内にあってもよい。さらに、上記耐久性予測装置５０は、入出力装置６０を備えた端末装置から、通信により処理部５０ｐや記憶部５０ｍにアクセスするものであってもよい。次に、この耐久性予測装置５０を用いて本発明に係る回転体の耐久性予測方法を実現する場合の処理手順について説明する。
【００３２】
本発明に係る回転体の耐久性予測方法を実現するにあたって、まず、本発明に係る耐久性予測装置５０が備える応力解析部５１は、耐久性予測対象の回転体であるタイヤの応力解析を実行する（ステップＳ１０１、図１）。ここで、本発明では、前記応力解析を実行する際に、ＦＥＭ（Finite Element Method：有限要素法）を使用する。なお、本発明に係るタイヤの摩耗に関する物理量の予測方法に適用できる解析手法はＦＥＭに限られず、ＢＥＭ（Boundary Element Method：境界要素法）、ＦＤＭ（Finite Differences Method：有限差分法）等も使用できる。タイヤの種類や境界条件等によって最も適当な解析手法を選択し、又は複数の解析手法を組み合わせて使用することが好ましい。
【００３３】
図３−１は、耐久性予測対象の回転体であるタイヤを示す側面図である。図３−２は、耐久性予測対象の回転体であるタイヤを微小要素に分割した例を示す一部斜視図である。図３−１、２に示すように、耐久性予測対象の回転体であるタイヤ１は、有限要素法に基づき、有限個の微小要素１０1、１０2・・・１０n等に分割されて、３次元有限要素モデル（３次元の回転体モデル、すなわち３次元のタイヤモデル１０）が作成される。有限要素法に基づく微小要素とは、例えば２次元平面においては三角形要素、四角形要素、３次元体としては四面体ソリッド要素、五面体ソリッド要素、六面体ソリッド要素等のソリッド要素や、三角形シェル要素、四角形シェル要素等のシェル要素等、コンピュータで用いうる要素とすることが望ましい。このようにして分割された微小要素は、解析の過程において３次元座標を用いて逐一特定される。
【００３４】
なお、本発明で回転体モデルあるいはタイヤモデルというときには、本発明に適用できる有限要素法、境界要素法その他の解析手法に基づき作成された解析用のモデルをいう。この実施例においては、有限要素法に基づいて微小要素に分割された有限要素モデルが、回転体モデルあるいはタイヤモデルとなる。
【００３５】
前記応力解析では、静的応力解析によって各微小要素の応力σｉ、ひずみεｉ、最大主応力σｉmax、最大主ひずみεｉmax等を求める。ここで、３次元のタイヤモデルの場合には、応力σｉは、垂直応力σｉx、σｉy、σｉz、及びせん断応力τｉx、τｉy、τｉzの計６成分である。各成分のｘ、ｙ、ｚは、それぞれｘ軸、ｙ軸、ｚ軸を表す。このように、静的応力解析によれば、計算の収束性が向上するので計算に要する時間を短縮することができる。また、静的応力解析の他、準動的解析やタイヤの転動を考慮した動的解析によって、各微小要素の応力σｉやひずみεｉ等を求めてもよい。これらの手法によれば、静的応力解析よりも計算時間は要するが、より実際の現象に近い状態で応力σｉやひずみεｉ等を求めることができる。
【００３６】
次に、得られた各微小要素の応力σｉと、ひずみεｉとを用いて、発熱エネルギ演算部５２がタイヤ全体の発熱エネルギを求める（ステップＳ１０２、図１）。この発熱エネルギを求める発熱エネルギ密度演算手順について説明する。なお、ここでいう発熱は、タイヤを構成する粘弾性材料（例えばゴム）の変形に起因するタイヤの内部発熱である。図４は、本発明に係る回転体の耐久性予測方法における発熱エネルギ演算手順を示すフローチャートである。図５−１は、タイヤモデルを構成する微小要素の回転を示す概念図である。図５−２は、タイヤモデルの微小要素が１回転した場合における微小要素の応力変化を示す説明図である。図５−１に示すタイヤモデル１０の微小要素１０ｎが１回転（２π）すると、微小要素１０ｎの応力σｉは、回転角ωｔに対して、図５−２に示すように変化する。
【００３７】
タイヤの発熱エネルギ密度を求めるにあたっては、発熱エネルギ演算部５２は、タイヤモデル（３次元のタイヤモデル）１０を１回転させた場合における各微小要素の応力σｉ及びひずみεｉをフーリエ級数展開する（ステップＳ２０１）。例えば、図５−２に示した微小要素１０ｎの応力σｉでは、回転角ωｔが０〜２πまで、すなわちタイヤモデル１０が１回転した場合における応力σｉの変化をフーリエ級数展開する。
【００３８】
このように、タイヤモデル１０の１回転あたりにおける発熱エネルギを用いれば、当該発熱エネルギとタイヤモデル１０の回転数との積を求めることにより、所定回転数回転後におけるタイヤモデル１０の総発熱エネルギを簡易に求めることができる。本実施例ではタイヤモデル１０の１回転あたりにおける発熱エネルギを求めるが、タイヤモデル１０の単位回転数あたりにおける発熱エネルギを求めれば、同様の作用・効果を得ることができる。
【００３９】
次に、発熱エネルギ演算部５２は、応力σｉのフーリエ級数の各フーリエ次数について、材料の損失係数に応じた位相遅れδをひずみεｉに与え、各フーリエ次数における応力σｉとひずみεｉとのヒステリシスループの面積を演算する（ステップＳ２０２）。この内容について次に説明する。
【００４０】
タイヤを構成するゴムは粘弾性材料である。タイヤの転動時において粘弾性材料であるゴムの繰り返し変形によって発生するエネルギの一部が熱エネルギ（ヒステリシスロス）となり、このエネルギロスが転がり抵抗となる。図６−１は、粘弾性体を変形させた場合における応力とひずみとの関係を示す説明図である。図６−２は、応力とひずみとのヒステリシスループを示す説明図である。図６−１に示すように、粘弾性材料では応力σｉに対してひずみεｉの位相がδだけ遅れる。
【００４１】
これにより、図６−２に示すように、１周期（図６−１においては、回転角ωｔ1）の変形に対して応力σｉとひずみεｉとのヒステリシスループ５を描くことができる。このヒステリシスループ５の面積が、粘弾性材料の１周期における変形で発生した発熱エネルギであり、粘弾性材料の１周期における変形で損失したエネルギ、すなわち転動抵抗に相当する。したがって、各微小要素のヒステリシスループ５の面積から、タイヤの転動時における発熱エネルギ（転動抵抗）を求めることができる。なお、前記位相遅れδは、粘弾性材料の種類によって異なる損失係数に応じて決定される。なお、粘弾性材料は周波数依存性があるため、得られたひずみの振幅に近い条件下で求められた損失係数を用いるとさらに発熱エネルギの予測精度が向上するため好ましい。
【００４２】
発熱エネルギ演算部５２は、各フーリエ次数における応力σｉとひずみεｉとのヒステリシスループの面積を求めたら、フーリエ次数とヒステリシスループ面積との積の総和を演算する（ステップＳ２０３）。この一連の演算過程を応力、ひずみの全成分（３次元の場合は計６成分）について発熱エネルギ演算部５２が反復実行することにより（ステップＳ２０４；Ｎｏ）、応力、ひずみの各成分毎に前記総和を演算する（ステップＳ２０４；Ｙｅｓ）。さらに、発熱エネルギ演算部５２は、これらの過程を全微小要素について反復実行し（ステップＳ２０５；Ｎｏ、ステップＳ２０６）、タイヤモデル１０の全微小要素の発熱エネルギを導出して（ステップＳ２０５；Ｙｅｓ、ステップＳ２０７）、モデル化したタイヤ全体の発熱エネルギ演算手順が終了する。なお、この発熱エネルギ演算手順で求められる発熱エネルギは発熱エネルギ密度Ｑｄであり、これは、単位体積あたりの発熱量を意味する。
【００４３】
次に、本発明に係る耐久性予測装置５０が備える温度換算部５３が、モデル化したタイヤ全体の発熱エネルギを温度に換算する（ステップＳ１０３、図１）。この温度換算手順について説明する。図７は、本発明に係る回転体の耐久性予測方法における温度換算手順を示すフローチャートである。求めた発熱エネルギは発熱エネルギ密度Ｑｄ、すなわち単位体積当たりの発熱量である。この発熱エネルギ密度Ｑｄと各微小要素グループ毎の比熱（すなわち単位量当たりの物質の温度を１℃上昇させるために必要な熱量）との関係から、任意の走行速度、走行時間に応じたタイヤの温度上昇分を換算する。ここで、この温度換算手順においては、タイヤは発熱するのみで放熱はしないと仮定する。
【００４４】
まず、温度換算部５３は、任意の走行時間（発熱の解析時間に相当）θにおけるタイヤモデル１０の回転数Ｎを算出する（ステップＳ３０１）。ここで、任意の走行速度をｖ、タイヤモデル１０の応力解析から得られる動荷重半径をｒとすると、前記回転数Ｎは、θ×ｖ／（２×ｒ×π）で求めることができる。この回転数Ｎを用いると、任意の走行時間θにおける任意の微小要素の温度上昇ΔＴｉは、Ｑｄｉ×Ｎ／（ρｉ×Ｕｉ）で求めることができる。なお、Ｑｄｉは、任意の微小要素の発熱エネルギ密度であり、ρｉは任意の微小要素の比熱であり、Ｕｉは任意の微小要素の密度である。任意の微小要素の比熱ρｉに任意の微小要素の密度Ｕｉを乗ずるのは、この温度換算手順においては、任意の微小要素の発熱量を発熱エネルギ密度で表現しているので、次元を一致させる必要があるからである。任意の微小要素の密度Ｕｉは、本発明の回転体の耐久性予測方法で使用する材料物性データベースの中に入力しておいてもよいし、前記データベースとは別のファイルから読み出してもよい。
【００４５】
温度換算部５３は、ΔＴｉ＝Ｑｄｉ×Ｎ／（ρｉ×Ｕｉ）の関係から、微小要素の発熱エネルギ密度Ｑｄｉを、任意の走行時間θにおける当該微小要素の温度上昇ΔＴｉに換算する（ステップＳ３０２）。本実施例においては、上述したようにタイヤモデル１０の１回転あたりにおける発熱エネルギを用いるので、当該発熱エネルギとタイヤモデル１０の回転数との積を求めることにより、所定回転数回転後におけるタイヤモデル１０の昇温を簡易に求めることができる。
【００４６】
微小要素が複合材料の場合においては、複合材料の比熱ρFRRは、補強コードの比熱とそれを被覆するコートゴムの比熱とを用いて、並列型の複合則によって次のように近似する。すなわち、複合材料の比熱ρFRR＝ρf×Ｖf＋ρm×Ｖmとなる。ここで、ρfは補強コードの比熱、Ｖfは補強コードの体積分率、ρmは母相（母相ゴム）の比熱、Ｖmは母相（母相ゴム）の体積分率である。
【００４７】
温度換算部５３は、タイヤモデル１０の全微小要素に対して前記温度換算の演算を反復実行することにより（ステップＳ３０３；Ｎｏ）、タイヤモデル１０の全微小要素の発熱エネルギ密度Ｑｄｉを温度上昇ΔＴｉに換算する。温度上昇への換算が終了したら（ステップＳ３０３；Ｙｅｓ）、温度換算部５３は、各微小要素を構成する節点に、得られた各微小要素の温度上昇ΔＴｉを割り振る（ステップＳ３０４）。次に、各節点に対する温度上昇の割り振りについて説明する。
【００４８】
図８は、複数の微小要素と、これらを構成する節点との関係を示す説明図である。発熱エネルギ密度から得られた温度上昇ΔＴｉのデータは微小要素に対する出力変数である。このデータは、後述する温度分布演算における伝熱解析において、初期温度データとして使用する。ここで、伝熱解析上、温度データは節点、又は節点集合に与えるという規約があるので、節点の温度は当該節点が含む微小要素の平均節点温度として、節点に割り振られる必要がある。
【００４９】
ここで、平均節点温度とは、ある微小要素の温度Ｔｉを、当該要素を構成する節点の数で除した値をいう。例えば、図８に示す微小要素Ａを構成する節点は、ＮＰ1、ＮＰ2、ＮＰ4及びＮＰ5の計４節点なので、微小要素Ａの温度をＴAとすると、微小要素Ａの平均節点温度ＴAＡは、ＴA／４となる。同様に、微小要素Ｂ、Ｃ及びＤの平均節点温度ＴBＡ、ＴCＡ及びＴDＡは、それぞれ、ＴB／４、ＴC／４及びＴD／４となる。なお、ＴB、ＴC及びＴDはそれぞれ、微小要素Ｂ、Ｃ及びＤの温度である。
【００５０】
ここで、例えば、図８の節点ＮＰ5は、微小要素Ａ、Ｂ、Ｃ及びＤのすべてに対して共通するが、この場合には、節点ＮＰ5に共通するすべての微小要素Ａ、Ｂ、Ｃ及びＤの平均節点温度を、節点温度ＴNP5＝ＴAＡ＋ＴBＡ＋ＴCＡ＋ＴDＡとして割り振る。また、図８の節点ＮＰ2は、微小要素Ａ、Ｃに対して共通するので、節点ＮＰ2の節点温度ＴNP2は、ＴAＡ＋ＴCＡとなる。さらに、図８の節点ＮＰ1に共通する微小要素は、微小要素Ａのみなので、節点ＮＰ1の節点温度ＴNP1はＴAＡとなる。
【００５１】
このように、微小要素が隣接する場合において、隣接する微小要素間で共通する節点に対しては、重複して温度が割り振られることを是認する。さらに、得られた各節点温度に任意の雰囲気温度Ｔａを加えた温度を、最終的な節点温度とする。すなわち、節点ＮＰ5においては、（ＴAＡ＋ＴBＡ＋ＴCＡ＋ＴDＡ＋Ｔａ）が、最終的な節点温度となる。温度換算部５３は、すべての節点に対して微小要素の温度の割り振りを繰り替えし（ステップＳ３０５；Ｎｏ）、すべての節点に対して温度を割り振ったら（ステップＳ３０５；Ｙｅｓ）、温度換算手順が終了する。
【００５２】
温度換算手順が終了したら、本発明に係る耐久性予測装置５０が備える温度分布演算部５４が伝熱解析を実行して、モデル化したタイヤを上記任意の走行時間θだけ放熱させた場合におけるタイヤモデル１０の温度分布を求める（ステップＳ１０４、図１）。次に、この温度分布演算手順について説明する。図９は、本発明に係る回転体の耐久性予測方法における温度分布演算手順を示すフローチャートである。図１０−１は、タイヤモデルの一部を示す斜視図である。図１０−２は、図１０−１に示したタイヤモデルの断面モデルを示す断面図である。図１１−１〜図１１−３は、微小要素の局所座標を示す説明図である。
【００５３】
温度分布の演算においては、温度分布演算部５４が、温度換算手順で得られた各節点の換算後における温度を初期温度条件として、２次元有限要素モデル化した２次元のタイヤモデル１０ｃの各節点に設定する（ステップＳ４０１）。ここで、図１０−１、図１０−２に示すように、２次元のタイヤモデル１０ｃは、上記応力解析等で使用した３次元のタイヤモデル１０の断面モデルに相当する。
【００５４】
温度の設定とともに、温度分布演算部５４は、２次元のタイヤモデル１０ｃの微小要素１０n、１０n+1等の熱伝導率、比熱を設定する（ステップＳ４０２）。このとき、複合材料の熱伝導率及び比熱は、上記温度換算手順の項目で説明したように、並列型の複合則を用いて近似する。なお、計算精度の向上という観点から、温度分布の演算においては、図１１−１〜３に示すように、各微小要素に対して局所座標系を設定することが好ましい。
【００５５】
ここで、図１１−１は、タイヤのトレッド部１１における微小要素の局所座標を、図１１−２は、タイヤのクラウン部１２における微小要素の局所座標を、図１１−３は、タイヤのサイド部１３における微小要素の局所座標を表す。局所座標系を設定する場合には、図１１−１〜３に示すように、ｘｘ軸を回転体の周方向、ｙｙ軸を幅方向、ｚｚ軸を厚さ方向とする。局所座標系を設定する場合、さらに好ましくは、複合材料に関しては、図１１−２に示すように、コードの配向方向をｘｘ軸に設定する。
【００５６】
次に、温度分布演算部５４は、タイヤモデルの表面に伝熱面を定義するとともに、それぞれの前記伝熱面に対して任意の熱伝達係数や熱伝導率、あるいは輻射率等を設定する（ステップＳ４０３）。図１２−１〜図１２−３は、伝熱面の設定箇所を示す説明図である。設定する前記伝熱面について、図１２−１〜図１２−３を用いて説明する。
【００５７】
図１２−１は、路面３とトレッド部との接触面３１、トレッド部が外気Ｔｏａにさらされている面３２、サイド部が外気Ｔｏａにさらされている面３３を伝熱面として設定し、路面３とタイヤモデル１０との熱伝導、及び外気Ｔｏａとタイヤモデル１０との熱伝達を考慮する例を示す。図１２−２は、タイヤモデル１０とリムモデル２０ｒとの嵌合面３４を伝熱面として設定し、タイヤモデル１０とホイールモデル２０との熱伝導を考慮する例を示す。また、図１２−３は、タイヤモデル１０の内表面１０ｉｗを伝熱面として設定し、内表面１０ｉｗ（温度Ｔｉｗ）と、タイヤモデル１０の内部空気ａｉ（温度Ｔａｉ）との空洞輻射伝熱を考慮する例を示す。このように、温度分布演算手順において、設定した前記各伝熱面に対してそれぞれ任意の熱伝導率や熱伝達率、あるいは輻射率等を設定すると、伝熱解析におけるタイヤモデル１０の温度の予測精度が向上する。
【００５８】
初期温度条件や各微小要素の熱伝導率等を設定したら、タイヤモデル１０から放熱させることにより、温度分布演算部５４がタイヤモデル１０の伝熱解析を実行する（ステップＳ４０４）。放熱における解析時間θは、上記温度換算部において設定した任意の走行時間θとする。このように、粘弾性材料の発熱によるタイヤの発熱解析と、タイヤの放熱解析とを別個にした場合でも、両者の解析時間を等しくすることで両解析を擬似的に連成させることができる。その結果、タイヤの発熱と放熱とを完全に連成させて解析する場合と比較して、解析精度を維持しつつ、解析の収束性を向上させることができるとともに、計算時間を短くすることができる。
【００５９】
熱伝導解析は非定常伝熱解析とする。解析にあたって、計算精度（タイヤの温度分布の予測精度）を高めるために、微小要素の分割をより細かくすることが有効である。しかし、微小要素の分割数を細かくすると、応力解析や発熱エネルギ密度を解析する際に使用する３次元有限要素モデルであるタイヤモデル１０の微小要素数も大幅に増加する。このため、微小要素の分割の分割数を無闇に増加させると計算コストが増加するため現実的ではないが、簡易に温度分布の予測精度を向上させる方法を次に説明する。
【００６０】
図１３は、２次元タイヤモデルの微小要素の再分割を示す説明図である。温度分布演算手順の前記熱伝導解析においては、３次元のタイヤモデルの昇温解析結果を２次元のタイヤモデルの各節点に初期温度を割り振る。このため、３次元有限要素の断面における微小要素数と２次元有限要素モデルの微小要素数とを等しくする必要がある。これに対し、本発明においては、図１３に示すように、例えば、２次元のタイヤモデル１０ｃを構成する任意の微小要素Ａ〜Ｄを２分割する。そして、２分割した微小要素ａ〜ｈの温度を、分割前における微小要素Ａ〜Ｄの温度の１／２であるとそれぞれ仮定する。例えば、微小要素Ａの温度を５０℃とすると、微小要素Ａを分割した微小要素ａ及びｂの温度はそれぞれ２５℃となる。
【００６１】
次に、前記２分割した微小要素ａ〜ｈそれぞれを構成する節点ＮＰ1、ＮＰ2、ＮＰ11、ＮＰ12等へ、上記温度換算手順で説明したように節点温度を割り振る。このような方法により、簡易に２次元伝熱解析におけるタイヤ温度分布の予測精度を向上できる。ただし、分割前における微小要素の温度分布は均一であると仮定しているため、微小要素の再分割を細かくし過ぎると、逆に温度分布の予測精度が悪化するおそれがある。かかる点を考慮して、微小要素を再分割することが好ましい。なお、再分割は３分割以上としてもよい。
【００６２】
温度分布演算部５４は、計算が収束するまで上記熱伝導解析を繰り返し（ステップＳ４０５；Ｎｏ）、計算が収束したら（ステップＳ４０６；Ｙｅｓ）熱伝導解析を終了させて２次元のタイヤモデル１０ｃの温度分布を得て、温度分布演算手順が終了する。なお、温度分布演算手順においては、上記ステップＳ４０１〜Ｓ４０３の順序は問わない。ここで、温度分布演算手順によって得られるのは、３次元のタイヤモデル１０の各断面における温度分布、すなわち、２次元のタイヤモデル１０ｃそれぞれの温度分布である。
【００６３】
温度分布演算手順が終了したら、本発明に係る耐久性予測装置５０が備える安全率演算部５５が、耐久性予測対象の回転体であるタイヤの安全率を演算する（ステップＳ１０５、図１）。次に、この安全率演算手順について説明する。図１４は、本発明に係る回転体の耐久性予測方法における安全率演算手順を示すフローチャートである。
【００６４】
安全率演算部５５は、上記温度分布演算手順で得られた温度分布に準じた条件下において、前記任意の各微小要素を構成する材料の破断強度、及び破断伸びを取得する（ステップＳ５０１）。この破断強度、破断伸びは、タイヤを構成材料するそれぞれの材料に対し、温度を何段階かに変化させて予め測定しておくことで求めることができ、この破断強度、破断伸びを安全率演算部５５が取得する。なお、予め求めたタイヤを構成する材料それぞれの破断強度、破断伸びその他の材料物性をデータベース化して、本発明に係る耐久性予測装置５０が備える記憶部５０ｍへ記憶させておくことができる。前記破断強度、破断伸びは、実験によって予め求めてもよいし、数値シミュレーションによって予め求めておいてもよい。ここで、熱可塑性の材料を含む材料に関しては、材料の熱可塑性を考慮して破断強度、破断伸びを求める必要がある。
【００６５】
次に、安全率演算部５５は、上記応力解析手順によって求めた任意の要素の応力σｉ、ひずみεｉから最大主応力σmaxと最大主ひずみεmaxとを求める。そして、取得した破断強度σｉB及び破断伸びεｉBと、算出した最大主応力σmax及び最大主ひずみεmaxから、最大主応力及び最大主ひずみについての安全率Ｓσ＝σｉB／σｉmax、及びＳε＝εｉB／εｉmaxを算出する（ステップＳ５０２）。タイヤモデル１０を構成するすべての微小要素について前記安全率Ｓσ及びＳεを求めたら（ステップＳ５０３；Ｙｅｓ）、安全率演算手順が終了する。なお、安全率演算手順によって得られるのは、３次元のタイヤモデル１０の各断面における安全率の分布、すなわち、２次元のタイヤモデル１０ｃそれぞれにおける安全率の分布である。
【００６６】
次に、得られた安全率Ｓσ及びＳεをもって粘弾性材料を含む回転体であるタイヤの耐久性を評価、予測して（ステップＳ１０６、図１）、本発明に係る回転体の耐久性予測方法の全処理手順が終了する。ここで、タイヤの耐久性を評価するにあたっては、前記安全率Ｓσ又は前記安全率σεのうち、少なくとも一方を用いればよい。すなわち、安全率演算手順においては、前記破断強度σｉB又は前記破断伸びεｉBのうち少なくとも一方を取得して安全率を求めればよい。
【００６７】
以上、本発明によれば、粘弾性材料を含む回転体の安全率に影響を与えるパラメータとして、原則として粘弾性材料の変形に起因する発熱のみを採用する。その結果、解析のアルゴリズムを簡略化できるので、計算時間の増加を抑制しつつ粘弾性材料を含む回転体の耐久性予測精度を向上させることができる。また、タイヤの内部発熱と放熱とを別個に解析するとともに、内部発熱の解析と放熱の解析との間で、発熱及び放熱時間を等しくすることにより、解析のアルゴリズムを簡略化する。これにより、計算の収束性を向上させるとともに、実用上十分な解析精度を確保することができる。さらに、内部発熱に起因して昇温した回転体の温度分布に準じた条件下において、回転体モデルを構成する各微小要素の材料の破断強度等を求め、これに基づき回転体の安全率を算出して回転体の耐久性を予測する。これにより、粘弾性材料の変形による発熱が、回転体を構成する材料に与える影響を実用上十分な精度で見積もることができるので、回転体の耐久性予測精度が向上する。
【００６８】
（評価例）
本発明に係る回転体の耐久性予測方法及び評価装置によって、タイヤの耐久性を評価した。耐久性予測対象であるタイヤは、タイヤサイズ２４５／４０ＺＲ１８のランフラットタイヤとし、ランフラット走行を想定して内圧は０ｋＰａとし、車重約１７００ｋｇの車両に装着した場合に相当する荷重を負荷した。図１５−１は、この評価例で用いたタイヤモデルの一部断面を示す説明図である。また、図１５−２は、図１５−１に示すタイヤモデルに対して静的応力解析を実行した際の一部断面を示す説明図である。なお、便宜上図１５−１、図１５−２には、タイヤモデルの一部断面図を示すが、実際にはタイヤの全周（中心角０度〜３６０度まで）にわたり微小要素でタイヤモデル化することにより耐久性を評価している。耐久性予測対象であるランフラットタイヤは、図１５−１に示すような、３次元有限要素モデルのタイヤモデル１０'として、本発明に係る回転体の耐久性予測方法に供される。このタイヤモデル１０'に対して、上記条件の下で静的応力解析を実行した例を図１５−２に示す。
【００６９】
図１６−１は、本発明に係る回転体の耐久性予測方法によって解析したタイヤモデルの断面内における内部温度分布を示す一部断面図である。図１６−２は、本発明に係る回転体の耐久性予測方法によって解析したタイヤモデルの安全率を示す一部断面図である。図１６−２に示す安全率の解析結果から、補強ライナーの中心部（タイヤの曲げ中心部）から外径方向に向かう部位（図１６−２中Ｂで示す部分）の安全率が低く、この部位が故障のイニシャルとなると推定される。
【００７０】
図１６−３は、実際の走行試験による評価結果を示す説明図である。本発明に係る回転体の耐久性予測方法に供したランフラットタイヤと同一サイズのランフラットタイヤを試作し、ランフラット走行の実走行テストを実行した。実走行テストでは、試作したランフラットタイヤをリムサイズが１８×８ＪＪのリムに組み付け、排気量が４．３リットルである後輪駆動の試験車の前輪右側に装着した。そして、空気圧２３０ｋＰａで楕円形の周回コースを反時計回りに９０ｋｍ／ｈの速度で２周予備走行し、その後バルブのコアを抜き空気圧０ｋＰａとした。実走行テストはかかる状態で開始し、テストコースを反時計回りに９０ｋｍ／ｈの速度で走行して、テストドライバーがタイヤ故障による異常振動を感じて走行を中止するまで継続した。
【００７１】
その結果、図１６−３に示すように、本発明に係る回転体の耐久性予測方法で得られた耐久性予測結果と非常によく似た故障が発生した（図１６−３中Ｃで示す部分）。この実走行による評価結果から、本発明に係る回転体の耐久性予測方法は、実際の回転体の挙動を十分に再現して、回転体の耐久性を高い精度で評価できるといえる。また、本発明に係る回転体の耐久性予測方法では、安全率の演算が終了するまでに要した計算時間が約１．５日であり、計算コストの面でも実用性が極めて高いことがわかる。
【産業上の利用可能性】
【００７２】
以上のように、本発明に係る回転体の耐久性予測方法及び回転体の耐久性予測用コンピュータプログラム、並びに回転体の耐久性予測装置は、回転体の耐久性予測に有用であり、特に、タイヤのように、粘弾性材料を構成材料に含む回転体の耐久性を予測する場合に適している。
【図面の簡単な説明】
【００７３】
【図１】本発明に係る回転体の耐久性予測方法の処理手順を示すフローチャートである。
【図２】本発明に係る回転体の耐久性予測装置を示す説明図である。
【図３−１】耐久性予測対象の回転体であるタイヤを示す側面図である。
【図３−２】耐久性予測対象の回転体であるタイヤを微小要素に分割した例を示す一部斜視図である。
【図４】本発明に係る回転体の耐久性予測方法における発熱エネルギ演算手順を示すフローチャートである。
【図５−１】タイヤモデルを構成する微小要素の回転を示す概念図である。
【図５−２】タイヤモデルの微小要素が１回転した場合における微小要素の応力変化を示す説明図である。
【図６−１】粘弾性体を変形させた場合における応力とひずみとの関係を示す説明図である。
【図６−２】応力とひずみとのヒステリシスループを示す説明図である。
【図７】本発明に係る回転体の耐久性予測方法における温度換算手順を示すフローチャートである。
【図８】複数の微小要素と、これらを構成する節点との関係を示す説明図である。
【図９】本発明に係る回転体の耐久性予測方法における温度分布演算手順を示すフローチャートである。
【図１０−１】タイヤモデルの一部を示す斜視図である。
【図１０−２】図１０−１に示したタイヤモデルの断面モデルを示す断面図である。
【図１１−１】微小要素の局所座標を示す説明図である。
【図１１−２】微小要素の局所座標を示す説明図である。
【図１１−３】微小要素の局所座標を示す説明図である。
【図１２−１】伝熱面の設定箇所を示す説明図である。
【図１２−２】伝熱面の設定箇所を示す説明図である。
【図１２−３】伝熱面の設定箇所を示す説明図である。
【図１３】２次元タイヤモデルの微小要素の再分割を示す説明図である。
【図１４】本発明に係る回転体の耐久性予測方法における安全率演算手順を示すフローチャートである。
【図１５−１】この評価例で用いたタイヤモデルの一部断面を示す説明図である。
【図１５−２】図１５−１に示すタイヤモデルに対して静的応力解析を実行した際の一部断面を示す説明図である。
【図１６−１】本発明に係る回転体の耐久性予測方法によって解析したタイヤモデルの断面内における内部温度分布を示す一部断面図である。
【図１６−２】本発明に係る回転体の耐久性予測方法によって解析したタイヤモデルの安全率を示す一部断面図である。
【図１６−３】実際の走行試験による評価結果を示す説明図である。
【符号の説明】
【００７４】
１  タイヤ
３  路面
５  ヒステリシスループ
１０  タイヤモデル
１０1、１０n  微小要素
２０  ホイールモデル
５０  耐久性予測装置
５０ｐ  処理部
５０ｍ  記憶部
５１  応力解析部
５２  発熱エネルギ演算部
５３  温度換算部
５４  温度分布演算部
５５  安全率演算部
６０  入出力装置
【図１】
2005138621.tif 000003
【図２】
2005138621.tif 000004
【図３−１】
2005138621.tif 000005
【図３−２】
2005138621.tif 000006
【図４】
2005138621.tif 000007
【図５−１】
2005138621.tif 000008
【図５−２】
2005138621.tif 000009
【図６−１】
2005138621.tif 000010
【図６−２】
2005138621.tif 000011
【図７】
2005138621.tif 000012
【図８】
2005138621.tif 000013
【図９】
2005138621.tif 000014
【図１０−１】
2005138621.tif 000015
【図１０−２】
2005138621.tif 000016
【図１１−１】
2005138621.tif 000017
【図１１−２】
2005138621.tif 000018
【図１１−３】
2005138621.tif 000019
【図１２−１】
2005138621.tif 000020
【図１２−２】
2005138621.tif 000021
【図１２−３】
2005138621.tif 000022
【図１３】
2005138621.tif 000023
【図１４】
2005138621.tif 000024
【図１５−１】
2005138621.tif 000025
【図１５−２】
2005138621.tif 000026
【図１６−１】
2005138621.tif 000027
【図１６−２】
2005138621.tif 000028
【図１６−３】
2005138621.tif 000029